(57)【要約】【課題】  定規アングルの裏面側と鉄骨梁上面の先端部との溶接を省略し、定規アングル上面と鉄骨梁上面のみの溶接で定規アングルを作業性良く、また経済的に溶接できる取付金物と定規アングルの固定方法を提供する。【解決手段】  断面Ｌ字型のアングル鋼材からなり、アングル鋼材の一辺の下部にのみ切欠を有する取付金物とした。この取付金物を使用して定規アングルを鉄骨梁に溶接固定するには、躯体をなす鉄骨梁の上面に壁パネルを取り付けた定規アングルの水平辺を載置し、前記取付金物の切欠で定規アングルを挟んで固定した後、該定規アングルの水平辺と取付金物とを溶接固定するとともに、該取付金物と鉄骨梁の上面とを溶接固定する方法とする。【選択図】図３
2006193982.tif 000002
【特許請求の範囲】
【請求項１】
壁パネルを定規アングルを介して躯体に取り付けるための取付金物であって、断面Ｌ字型のアングル鋼材からなり、アングル鋼材の一辺の下部にのみ切欠を有することを特徴とする取付金物。
【請求項２】
前記切欠の高さが定規アングルの水平辺の厚さと同じであることを特徴とする請求項１に記載の取付金物。
【請求項３】
前記切欠の長さが定規アングルの水平辺の幅未満であることを特徴とする請求項１または請求項２に記載の取付金物。
【請求項４】
前記切欠の長さが定規アングルの水平辺の幅と同じであることを特徴とする請求項１または請求項２に記載の取付金物。
【請求項５】
躯体をなす鉄骨梁の上面に壁パネルを取り付けらための定規アングルの水平辺を載置し、前記請求項１乃至４いずれか１項に記載の取付金物を用いて該取付金物の切欠で定規アングルの水平辺を挟んで固定した後、該定規アングルの水平辺と取付金物とを溶接固定するとともに、該取付金物と鉄骨梁の上面とを溶接固定することを特徴とする壁パネルの躯体への取付方法。
【請求項６】
前記定規アングルの水平辺と取付金物とを溶接固定するに際し、該定規アングルの水平辺と該取付金物の定規アングルに平行な辺との間に間隙を設けて溶接固定することを特徴とする請求項５に記載の壁パネルの躯体への取付方法。
【請求項７】
前記定規アングルの水平辺と取付金物とを溶接固定するに際し、該定規アングルの水平辺と該取付金物の定規アングルに平行な辺とを当接させて溶接固定することを特徴とする請求項５に記載の壁パネルの躯体への取付方法。
【発明の詳細な説明】
【技術分野】
【０００１】
本発明は、壁パネルを躯体に取り付ける取付構造に関し、特に、軽量気泡コンクリートパネルを躯体に取り付ける定規アングルの取付方法に関するものである。
【背景技術】
【０００２】
軽量気泡コンクリート（ＡＬＣ）パネルを鉄骨梁等の躯体に取り付けるには、定規アングルを介して取り付けるのが一般的であり、この定規アングルの躯体への取付手段には幾つかの方法がある。従来の定規アングルの取付方法の例を図５及び図６に示す。図５は、定規アングル３を躯体をなす鉄骨梁２の上面に載置して直接溶接固定するもので、定規アングル３の水平辺３ａの先端部が鉄骨梁２の上面と接する部分４を溶接し、水平辺３の裏面側が鉄骨梁２の上面先端部と接する部分５を溶接するものである。
また、図６は定規アングル３を鉄骨梁２の上面に載置して抑え金具を使用して固定するもので、定規アングル３の水平辺３ａを定規アングルと鉄骨梁２の上面に沿うように稲妻形状に成形された抑え金具である平プレート６で固定し、定規アングル３と鉄骨梁２にそれぞれ該平プレート６の外周部を溶接して、定規アングル３を鉄骨梁２に固定するものである（例えば、特許文献１参照。）。
このようにして鉄骨梁に固定された定規アングルに図示省略の軽量気泡コンクリートパネルを固定し、定規アングルを介して軽量気泡コンクリートパネルを躯体に取り付けている。
【特許文献１】特開平０９−１１１９２９号公報
【発明の開示】
【発明が解決しようとする課題】
【０００３】
図５に示した定規アングルの固定方法は、定規アングルの裏面側を現場で溶接するために建物の室外側に足場を設置して溶接作業を行う必要があり、また、定規アングルの裏面側と鉄骨梁の先端部を溶接するので上向き溶接する必要があるため作業性が悪く、溶接の品質を確保する上でも問題がある。
また、図６に示す定規アングルの固定方法は、平プレートを定規アングルと鉄骨梁の上面に溶接する方法であるため、作業性の問題はないが、平プレートが鉄骨梁の上面の室内側に長く設置することになり、鉄骨梁上面に床であるコンクリートスラブが形成されている場合には、平プレートを設置できないことがあるという問題点がある。また、定規アングルに取付けた壁パネルの重量が大きい場合には、定規アングルに鉛直方向に過大な荷重が作用して、平プレートが薄い場合は耐力が不足して十分に定規アングルを鉄骨梁に固定できないため、確実に固定するには平プレートの設置箇所を増加させたり、あるいは平プレートの厚みを増さなければならず、作業性や経済性が悪くなるという問題がある。
【０００４】
上記の定規アングルの鉄骨梁への溶接固定方法では、定規アングルの裏面側と鉄骨梁の先端部を溶接するので上向き溶接する必要があるため作業性が悪く、平プレートを用いる場合は確実に固定するため平プレートの設置箇所を増加させる必要がある。また、平プレートの厚みを増さなければならないため、作業性と経済性が悪くなるという難点がある。  そこで本発明は定規アングルの裏面側と鉄骨梁上面の先端部と溶接を省略し、また、定規アングル上面と鉄骨梁上面のみへの取付金物の溶接で定規アングルを作業性良く、また経済的に溶接できる取付金物と壁パネルを定規アングルを介して躯体に固定する方法を提供することを目的とするものである。
【課題を解決するための手段】
【０００５】
上記課題を解決するため、本発明に係る取付金物は、壁パネルを定規アングルを介して躯体に取り付けるための取付金物であって、断面Ｌ字型のアングル鋼材からなり、アングル鋼材の一辺の下部にのみ切欠を有することを特徴とするものである。
また、本発明に係る他の取付金物は、前記切欠の高さが定規アングルの水平辺の厚さと同じであることを特徴とし、更に、前記切欠の長さが定規アングルの水平辺の幅未満であること、あるいはまた前記切欠の長さがアングル鋼材の水平辺の幅と同じであることを特徴とするものである。
本発明に係る壁パネルの躯体への取付方法は、躯体をなす鉄骨梁の上面に壁パネルを取り付けるための定規アングルの水平辺を載置し、前記請求項１から請求項４のいずれか１項に記載の取付金物を用いて該取付金物の切欠で定規アングルの水平辺を挟んで固定した後、該定規アングルの水平辺と取付金物とを溶接固定するとともに、該取付金物と鉄骨梁の上面とを溶接固定することを特徴とするものである。
また、本発明に係る他の壁パネルの躯体への取付方法は、前記定規アングルの水平辺と取付金物とを溶接固定するに際し、該定規アングルの水平辺と該取付金物の定規アングルに平行な辺との間に間隙を設けて溶接固定することを特徴とし、あるいはまた該定規アングルの水平辺と該取付金物の定規アングルに平行な辺とを密着させて溶接固定することを特徴とするものである。
【発明の効果】
【０００６】
本発明に係る取付金物によれば、取付金物と定規アングル、取付金物と鉄骨梁の上面の溶接で定規アングルを固定できるため、従来工法のように定規アングルの裏面と鉄骨梁上面の先端部と溶接する必要が無いので、室外側の足場から上向きで溶接する必要が無く、作業性に優れる。また、断面Ｌ字状の取付金物のそれぞれの辺の幅と長さは、固定する定規アングルのサイズと同等であれば十分な耐力を有するので、従来工法にあるような平プレートのように定規アングルに固定する壁パネルの重量が大きい場合、取付け耐力を増やすために設置箇所を増やす必要も厚みを増す必要もなく作業性と経済性に優れている。また、取付金物は断面Ｌ字状で定規アングルと同等の幅と長さのため、軽量で作業性が良い。
【発明を実施するための最良の形態】
【０００７】
以下に図面を用いて具体的な実施形態に基づいて説明するが、本発明はかかる実施形態によって限定されるものではない。
図１（ａ）に本発明の取付金物の外観斜視図を示す。取付金物１は、断面がＬ字状のアングル鋼材で構成され、どちらか一方の辺７のみに定規アングルの水平辺を鉄骨梁に挟み込んで固定するための切欠９を有しており、他方の辺８には切欠は設けられていない。もう一方の辺８は切欠を９を有する辺７と直交する方向に折り曲げられている。
定規アングルや取付金物を構成するアングル鋼材は等辺山形鋼でも不等辺山形鋼でもどちらでも利用できる。
図１の矢印方向から見た取付金物１の切欠９を有する面７の正面図を図１（ｂ）に示す。取付金物１のそれぞれの辺の幅と長さは、固定する定規アングルのサイズと同等程度であれば良い。
切欠９の寸法については、長さＬは辺７の奥行きＬ’以下であればよく、使用する定規アングルの水平辺の幅と同等程度とし、切欠９の高さＨは使用する定規アングルの水平辺の厚さと同等であれば良い。
もちろん図２（ａ）に外観斜視図で示すように、切欠９の長さＬは辺７の奥行きＬ’と同じであっても良い。この場合、図２（ａ）の矢印方向から見た正面図で示すと図２（ｂ）の通り、切欠９は取付金物１１のもう一方の辺１８に達するまで切り込んで形成してある。この形状を採用すると取付金物の一辺と定規アングルの水平辺とが当接するようにして取り付けることとなる。
【０００８】
図３に、本発明の取付金物１により定規アングル３を鉄骨梁２に溶接固定する方法の一例を外観図で示す。鉄骨梁２はＨ形鋼やＩ形鋼を使用し、長手方向の水平面を上にして躯体を構成し、定規アングル３を載置する。定規アングル３は取り付けるべき図示省略の壁パネルの小口面が下になるようにして、アングル鋼材の一面を水平にして鉄骨梁の平面上に載置する。鉄骨梁２の水平面上に載置された定規アングル３を取付金物１の切欠９で挟み込んで固定し、定規アングル３と取付金物１との接触部及び取付金物１と鉄骨梁２との接触部を溶接することにより、定規アングル３を鉄骨梁２に固定することができる。
図３に示した例では、取付金物１の切欠９の長さが定規アングル３の一辺の幅よりも小さいので、取付金物１の定規アングルと平行をなす辺８は定規アングル３からやや離れた位置で鉄骨梁２に溶接固定されている。取付金物１は現場の状況が許す限り任意の位置で定規アングルの水平辺や鉄骨梁に溶接固定することができる。
【０００９】
図４に示した例では、取付金物の切欠の長さを定規アングルの水平辺３ａの幅と同じとし、取付金物１の切欠を有する辺７の端面を定規アングル３の垂直片３ｂに当接させて、両者の接合面を溶接し、より強固な溶接固定が可能となる。
より具体的には、前述の図２に示す切欠９の長さＬを、取り付け金具の切欠を設けた辺の奥行きＬ’と同じにすれば、図４に示すとおり取付金物の切欠を設けていない辺８と定規アングル３の水平辺３ａが当接するようにして鉄骨梁２上に取り付けることができ、より強固な固定が可能となる。
【図面の簡単な説明】
【００１０】
【図１】本発明の取付金物の一例を示す図であって、（ａ）は外観斜視図、（ｂ）は正面図である。
【図２】本発明の取付金物の他の例を示す図であって、（ａ）は外観斜視図、（ｂ）は正面図である。
【図３】本発明の取付金物を使用して定規アングルを鉄骨梁に溶接固定する場合の一例を説明する斜視図である。
【図４】本発明の取付金物を使用して定規アングルを鉄骨梁に溶接固定する場合の他の例を説明する斜視図である。
【図５】従来の定規アングルを鉄骨梁に溶接固定する方法の一例を示す図である。
【図６】従来の定規アングルを鉄骨梁に溶接固定する方法の他の例を示す図である。
【符号の説明】
【００１１】
１、１１  取付金物
２  鉄骨梁
３  定規アングル
６  平プレート
９、１９  切欠
【図１】
2006193982.tif 000003
【図２】
2006193982.tif 000004
【図３】
2006193982.tif 000005
【図４】
2006193982.tif 000006
【図５】
2006193982.tif 000007
【図６】
2006193982.tif 000008